(57)【特許請求の範囲】
【請求項１】
被検体への放射性試薬の投与前に当該被検体より採取された投与前サンプルからの放射線を計数して投与前計数値を求め、前記放射性試薬の投与後に前記被検体より採取された投与後サンプルからの放射線を計数して投与後計数値を求める放射線計数部と、
前記投与前計数値に基づいて、前記放射性試薬の投与前から前記被検体に存在し所定の時定数で減衰するバックグラウンド放射能の前記投与後計数値に対する寄与を求め、前記投与後計数値から前記寄与を取り除く補正を行って、前記投与後サンプル中における前記放射性試薬の濃度を定める演算部と、
を有し、
前記演算部は、前記被検体より採取された投与前サンプルの量、及び、前記被検体より採取された投与後サンプルの量を考慮して前記寄与を求めることを特徴とする放射能測定装置。
【請求項２】
前記演算部は、
前記投与前計数値の計数期間内での放射性元素の崩壊に伴う前記バックグラウンド放射能の減少を考慮して、前記投与前計数値から投与前基準時刻での投与前バックグラウンド計数率を算出する手段と、
前記投与前基準時刻から投与後基準時刻までの前記放射性元素の崩壊に伴う前記バックグラウンド放射能の減少を考慮して、前記投与前バックグラウンド計数率から当該投与後基準時刻での投与後バックグラウンド計数率を算出する手段と、
前記投与後計数値の計数期間内での前記放射性元素の崩壊に伴う前記バックグラウンド放射能の減少を考慮して、前記投与後バックグラウンド計数率から前記寄与を算出する手段と、
を有することを特徴とする請求項１記載の放射能測定装置。
【請求項３】
前記演算部は、前記投与後計数値から前記寄与に応じた計数値を減算して差分計数値を求め、前記投与後計数値の計数期間内での放射性元素の崩壊に伴う前記放射性試薬の放射能の減少を考慮して、前記差分計数値から所定時刻における前記放射性試薬に起因する放射線計数率を算出する手段を有することを特徴とする請求項１又は請求項２に記載の放射能測定装置。
【請求項４】
被検体への放射性試薬の投与前に当該被検体より採取された投与前サンプルからの放射線を計数して投与前計数値を測定するステップと、
前記放射性試薬の投与後に前記被検体より採取された投与後サンプルからの放射線を計数して投与後計数値を測定するステップと、
前記投与前計数値に基づいて、前記放射性試薬の投与前から前記被検体に存在し得るバックグラウンド放射能の前記投与後計数値に対する寄与を求めるバックグラウンド算出ステップと、
前記投与後計数値から前記寄与を取り除く補正を行って前記投与後サンプル中における前記放射性試薬の濃度を定める濃度情報算出ステップと、
を有し、
前記バックグラウンド算出ステップでは、前記被検体より採取された投与前サンプル量、及び、前記被検体より採取された投与後サンプルの量を考慮して、前記寄与を求めることを特徴とする放射能測定方法。
【請求項５】
前記バックグラウンド算出ステップは、
前記投与前計数値の計数期間内での放射性元素の崩壊に伴う前記バックグラウンド放射能の減少を考慮して、前記投与前計数値から投与前基準時刻での投与前バックグラウンド計数率を算出するステップと、
前記投与前基準時刻から投与後基準時刻までの前記放射性元素の崩壊に伴う前記バックグラウンド放射能の減少を考慮して、前記投与前バックグラウンド計数率から当該投与後基準時刻での投与後バックグラウンド計数率を算出するステップと、
前記投与後計数値の計数期間内での前記放射性元素の崩壊に伴う前記バックグラウンド放射能の減少を考慮して、前記投与後バックグラウンド計数率から前記寄与を算出するステップと、
を有することを特徴とする請求項４記載の放射能測定方法。
【請求項６】
前記濃度情報算出ステップは、前記投与後計数値から前記寄与に応じた計数値を減算して差分計数値を求め、前記投与後計数値の計数期間内での放射性元素の崩壊に伴う前記放射性試薬の放射能の減少を考慮して、前記差分計数値から所定時刻における前記放射性試薬に起因する放射線計数率を算出することを特徴とする請求項４又は請求項５に記載の放射能測定方法。
【発明の詳細な説明】
【０００１】
【発明の属する技術分野】
本発明は、被検体に放射性試薬を投与し、当該被検体から採取されたサンプルの放射能を計測して、サンプル中における放射性試薬の濃度を測定する放射能測定装置に関し、特にその精度の向上に関する。
【０００２】
【従来の技術】
医療検査等において、被検体の体内、例えば血液中に放射性同位元素を含んだ検査試薬を投与した後、ある程度の時間を置いて被検体から血液等のサンプルを採取し、そのサンプルの放射能を測定することが行われている。サンプルの放射能を測定することにより、そのサンプル中の検査試薬の濃度が判明する。例えば、この検査試薬の濃度と投与した検査試薬量とから、被検体内の血液の総量を推定することができる。また、検査試薬をトレーサとして用い、被検体内での検査試薬の移動を調べることもできる。
【０００３】
放射性同位元素を含んだ検査試薬の放射能は、その放射性同位元素の半減期に応じて減衰する。そこで、検査試薬はあらかじめ放射能を測定し、その測定値と共に測定時刻が記録される。そして、サンプルから得られる放射能測定値に対しては、その投与前の検査試薬の測定からサンプルに対する測定までの経過時間における放射性同位元素の崩壊による放射能の減衰を補正する処理が行われる。
【０００４】
【発明が解決しようとする課題】
従来の放射性の検査試薬を用いた放射能測定においては、投与前の被検体に測定誤差となる放射性同位元素が存在することは考慮されていなかった。しかし、例えば、放射性試薬を用いた或る検査に先だって、放射性試薬を用いた別の検査が行われ、先行する放射性試薬が残留している場合がある。このように目的とする検査の放射性試薬の投与前に、被検体内に放射性同位元素が存在すると、それがバックグラウンド放射能となって検査精度が劣化するという問題があった。
【０００５】
本発明は上記問題点を解消するためになされたもので、被検体内にバックグラウンド放射能を生じる放射性同位元素が存在する場合においても、精度のよい検査を実現する放射能測定装置及び放射能測定方法を提供することを目的とする。
【０００６】
【課題を解決するための手段】
本発明に係る放射能測定装置は、被検体への放射性試薬の投与前に当該被検体より採取された投与前サンプルからの放射線を計数して投与前計数値を求め、前記放射性試薬の投与後に前記被検体より採取された投与後サンプルからの放射線を計数して投与後計数値を求める放射線計数部と、前記投与前計数値に基づいて、前記放射性試薬の投与前から前記被検体に存在し所定の時定数で減衰するバックグラウンド放射能の前記投与後計数値に対する寄与を求め、前記投与後計数値から前記寄与を取り除く補正を行って、前記投与後サンプル中における前記放射性試薬の濃度を定める演算部とを有し、前記演算部は、前記被検体より採取された投与前サンプルの量、及び、前記被検体より採取された投与後サンプルの量を考慮して前記寄与を求めることを特徴とする。
【０００７】
本発明によれば、被検体に放射性試薬を投与する前と投与した後とにそれぞれ被検体から例えば血液などのサンプルが採取される。放射線計数部は、投与前サンプル及び投与後サンプルそれぞれについて、それらサンプルが放射する放射線を計数する。放射性試薬の投与前においても、被検体内には食物等を通じて摂取される自然放射能が存在する。一般に自然放射能は、摂取と崩壊とがあるレベルでバランスしてほぼ定常状態にあり、そのレベルは一般的にそれほど高くなく、またおおよそ見当がついている。よって、投与後計数値に対して、この一般的な自然放射能によるバックグラウンドレベルを補正することは比較的容易である。しかし、被検体内には所定の時定数で減衰する非定常状態のバックグラウンド放射能が存在する場合もある。例えば、被検体は今回の放射性試薬の投与前に、別の検査、治療等に起因する放射能を有していることもある。このようなバックグラウンド放射能は、その原因に応じて大きさが異なると共に、崩壊によって時間的にも変化するため、画一的な所定レベルを差し引くといった単純な補正では精度を確保することができない。本発明では、投与前サンプルを採取して、放射性試薬を投与する前に既に被検体に存在するバックグラウンド放射能を測定し、投与前計数値を得る。一方、放射性試薬を投与した後に採取される投与後サンプルに関する放射能測定が行われ、放射性試薬に起因する放射能とバックグラウンド放射能との両方を含んだ投与後計数値を得る。演算部は、投与前計数値に基づいて、投与後計数値におけるバックグラウンド放射能の寄与を求める。このとき演算部は、放射性試薬の放射能及びバックグラウンド放射能が放射性崩壊により減衰することや、被検体より採取された投与前サンプルの量と被検体より採取された投与後サンプルの量との相違を考慮して前記寄与を求める。さらに演算部は、投与後計数値における当該寄与を除去する補正を行い、放射性試薬に起因する放射能を測定し、投与後サンプル中における放射性試薬の濃度を算出する。なお、投与前計数値は、複数の計数期間で計数を行って複数個求めてもよい。例えば、バックグラウンド放射能が１種類でその半減期が既知である場合には、１つの投与前計数値から本発明の補正を行うことができる。またバックグラウンド放射能が１種類であるが半減期が不明である場合やバックグラウンド放射能が複数種類である場合も、所要の数の複数時刻において求めた投与前計数に基づいて本発明の補正を行うことができる。
【０００８】
本発明に係る放射能測定装置においては、前記演算部が、前記投与前計数値の計数期間内での放射性元素の崩壊に伴う前記バックグラウンド放射能の減少を考慮して、前記投与前計数値から投与前基準時刻での投与前バックグラウンド計数率を算出する手段と、前記投与前基準時刻から投与後基準時刻までの前記放射性元素の崩壊に伴う前記バックグラウンド放射能の減少を考慮して、前記投与前バックグラウンド計数率から当該投与後基準時刻での投与後バックグラウンド計数率を算出する手段と、前記投与後計数値の計数期間内での前記放射性元素の崩壊に伴う前記バックグラウンド放射能の減少を考慮して、前記投与後バックグラウンド計数率から前記寄与を算出する手段とを有する。
【０００９】
放射能は指数関数的に減衰することが知られている。これを崩壊法則と呼ぶことにする。この崩壊法則は、計数率については成り立つが、計数期間における累積値である計数値に関しては厳密には成り立たない。本発明の放射線計数部は、投与前サンプルについて計数値を測定する。そのため、この計数値から投与後サンプルの計数期間における寄与分を、崩壊法則に基づいて直接算出することは正確ではない。演算部は、正確な補正を行うために、投与前計数値がその計数期間において崩壊法則に従う計数率の積分であることに基づいて、投与前基準時刻における投与前バックグラウンド計数率を求め、この投与前バックグラウンド計数率に対して崩壊法則を適用して、投与後基準時刻における投与後バックグラウンド計数率を算出する。ここで、投与前基準時刻、投与後基準時刻はそれぞれ任意の時刻に設定することができ、例えば投与前の計数期間、投与後の計数期間それぞれの開始時刻などに設定することができる。演算部は、投与前計数値から投与前バックグラウンド計数率を求めた計算と逆の演算を行って、投与後バックグラウンド計数率から投与後計数期間におけるバックグラウンド放射能の寄与分を算出する。演算部は例えば、バックグラウンドの寄与分を投与後計数値から減算することにより、バックグラウンド補正が行われた計数値を求める。
【００１０】
本発明に係る放射能測定装置においては、前記演算部が、前記投与後計数値から前記寄与に応じた計数値を減算して差分計数値を求め、前記投与後計数値の計数期間内での放射性元素の崩壊に伴う前記放射性試薬の放射能の減少を考慮して、前記差分計数値から所定時刻における前記放射性試薬に起因する放射線計数率を算出する手段を有する。
【００１１】
本発明によれば、演算部は、投与後計数値からバックグラウンドの寄与分を減算した差分計数値を、所定時刻における放射線計数率に変換し、この放射線計数率から投与後サンプル中の放射性試薬の濃度を求める。差分計数値は投与後の計数期間において崩壊法則に従って減衰する放射性試薬の放射能を累積した値である。よって、投与前計数値から投与前計数率を求めた計算と同様の計算により、差分計数値を所定時刻における放射線計数率に変換することができる。
【００１２】
本発明に係る放射能測定方法は、被検体への放射性試薬の投与前に当該被検体より採取された投与前サンプルからの放射線を計数して投与前計数値を測定するステップと、前記放射性試薬の投与後に前記被検体より採取された投与後サンプルからの放射線を計数して投与後計数値を測定するステップと、前記投与前計数値に基づいて、前記放射性試薬の投与前から前記被検体に存在し得るバックグラウンド放射能の前記投与後計数値に対する寄与を求めるバックグラウンド算出ステップと、前記投与後計数値から前記寄与を取り除く補正を行って前記投与後サンプル中における前記放射性試薬の濃度を定める濃度情報算出ステップとを有し、バックグラウンド算出ステップでは、前記被検体より採取された投与前サンプルについての投与前サンプル量、及び、前記被検体より採取された投与後サンプルについての投与後サンプル量を考慮して前記寄与を求めることを特徴とする。
【００１３】
本発明によれば、投与前計数値からバックグラウンド放射能の大きさが把握される。バックグラウンド放射能は崩壊法則に従って減衰する。この崩壊法則を考慮して、投与前計数値に基づいて投与後計数値の計数期間におけるバックグラウンド放射能が求められ、このバックグラウンド放射能の投与後計数値に対する寄与が求められる。この寄与を投与後計数値から除去することによって、投与後サンプル中に含まれる放射性試薬の放射能の大きさが把握され、放射性試薬の濃度が定められる。
【００１４】
本発明に係る放射能測定方法においては、前記バックグラウンド算出ステップが、前記投与前計数値の計数期間内での放射性元素の崩壊に伴う前記バックグラウンド放射能の減少を考慮して、前記投与前計数値から投与前基準時刻での投与前バックグラウンド計数率を算出するステップと、前記投与前基準時刻から投与後基準時刻までの前記放射性元素の崩壊に伴う前記バックグラウンド放射能の減少を考慮して、前記投与前バックグラウンド計数率から当該投与後基準時刻での投与後バックグラウンド計数率を算出するステップと、前記投与後計数値の計数期間内での前記放射性元素の崩壊に伴う前記バックグラウンド放射能の減少を考慮して、前記投与後バックグラウンド計数率から前記寄与を算出するステップとを有する。
【００１５】
本発明に係る放射能測定方法においては、前記濃度情報算出ステップが、前記投与後計数値から前記寄与に応じた計数値を減算して差分計数値を求め、前記投与後計数値の計数期間内での放射性元素の崩壊に伴う前記放射性試薬の放射能の減少を考慮して、前記差分計数値から所定時刻における前記放射性試薬に起因する放射線計数率を算出する。
【００１６】
【発明の実施の形態】
次に、本発明の実施形態について図面を参照して説明する。
【００１７】
図１は、本発明に係る放射能測定装置の概略のブロック図である。本装置は、被検者から採取された血液等のサンプルに含まれる放射性の検査試薬の濃度を測定するものであり、放射線検出器２、信号検知回路４、計数回路６、重量測定器８、及び演算部１０を含んで構成される。
【００１８】
放射線検出器２は、例えばシンチレータを用いて構成される。シンチレータの中央部に孔が設けられ、ここに被検体から採取されたサンプルを収めたサンプル容器１２が挿入・設置される。さらに、放射線検出器２には、検出器外部からシンチレータへの放射線を防ぐ鉛等の遮蔽材が配される。これによりシンチレータは、放射線検出器２にセットされたサンプルからの放射線に応じて発光し、このシンチレーション光を光検出器で電気信号に変換して出力する。
【００１９】
放射線検出器２からのアナログ電気信号は信号検知回路４に入力される。信号検知回路４は、アンプ及びディスクリミネータを含んで構成され、ノイズレベル以上の波高を有する信号を検知してパルス信号を生成する。
【００２０】
計数回路６は、信号検知回路４から出力されるパルス信号を計数し、計数値を演算部１０へ出力する。
【００２１】
放射線検出器２は重量測定器８の上に載置されている。この重量測定器８は、放射線検出器２にセットされるサンプルの重量を測定するために用いられる。重量測定器８の測定値は演算部１０へ出力される。
【００２２】
演算部１０は、計数回路６に対して計数開始及び停止の制御信号を送出する。演算部１０は内部に時計を有し、計数回路６の計数開始の時刻、及び計数時間を記憶する。演算部１０の詳しい動作、処理については後述する。
【００２３】
図２は、本装置を用いたサンプル中の放射性試薬濃度測定の処理概要を示すフロー図である。この図を用いて、本装置を用いた測定手順及び本装置の動作・処理内容を説明する。本装置は、バックグラウンド放射能を除去して、血液等のサンプル中の放射性の検査試薬の濃度を精度良く測定することができることが特徴である。そのために、まず、放射性の検査試薬を被検者に投与する前に、その被検者からリファレンス用のサンプル（投与前サンプルと称する）を採取する（Ｓ２０）。この投与前サンプルは所定のサンプル容器１２に採取される。
【００２４】
投与前サンプルを収容したサンプル容器１２は放射線検出器２にセットされ、放射線計数が開始される（Ｓ２５）。放射線の計数は、サンプル容器１２のセットに連動して自動的に開始されるように構成してもよいし、操作者の指示によって開始されるように構成してもよい。いずれにしても、計数回路６は演算部１０からの計数開始の制御信号により計数を開始し、演算部１０はその制御信号を送出すると共に、その時刻を記憶する。
【００２５】
また、計数回路６は演算部１０からの計数停止の制御信号により計数を停止し、演算部１０はこの投与前サンプルについて得られた計数値を検査試薬の投与前計数値として記憶する。この計数停止の制御信号は、あらかじめ演算部１０に設定された所定の計数時間が経過した時点で送出されるように構成してもよいし、操作者の指示によって送出されるように構成してもよい。いずれにしても、演算部１０は計数開始から停止までの計数時間を記憶・保持する。
【００２６】
演算部１０は、重量測定器８の測定値から投与前サンプルの重量を求める（Ｓ３０）。サンプルの重量は、サンプルを収容したサンプル容器１２をセットしたときの重量から放射線検出器２に空のサンプル容器１２をセットしたときの基準重量を減算することにより求められる。ここでは、所定のサンプル容器１２を使用することにより、空のサンプル容器１２をセットしたときの基準重量を一定として取り扱うことを可能としている。すなわち、基準重量はあらかじめ測定され演算部１０に格納され、この値がサンプルの重量を求める処理Ｓ３０において毎回利用される。
【００２７】
投与前サンプルが採取された後、被検者に放射性同位元素を含んだ検査試薬が定量投与される（Ｓ３５）。その後、被検者から、検査試薬を含んだ本来の評価対象であるサンプル（投与後サンプルと称する）がサンプル容器１２に採取される（Ｓ４０）。検査試薬投与から投与後サンプルの採取までの時間は、検査目的に応じて定められる。
【００２８】
投与後サンプルを収容したサンプル容器１２は放射線検出器２にセットされて、投与前サンプルと同様の方法で放射線計数が行われる（Ｓ４５）。演算部１０は、放射線計数の開始時刻、計数時間を記憶すると共に、投与後サンプルについての計数値を投与後計数値として記憶する。また、演算部１０は、記憶している基準重量を重量測定器８の測定値から減算して、投与後サンプルの重量を求める（Ｓ５０）。
【００２９】
演算部１０は、投与前サンプルについて得られた測定値を用いて、投与後サンプルに対してバックグラウンド放射能の寄与分を除去する補正処理を施す（Ｓ５５）。図３は本装置の補正処理を説明するための図であり、投与前サンプル及び投与後サンプルそれぞれの計数率の時間的変化を示すグラフである。図３において、縦軸が計数率、横軸が時間である。減衰曲線６０が投与前サンプルの計数率の変化、また減衰曲線６２が投与後サンプルの計数率の変化を表す。投与前サンプルに対する放射線の計数は計数期間ＰＢＧにて行われ、投与後サンプルに対する放射線の計数は計数期間ＰＳにて行われる。また計数期間ＰＢＧの開始時刻ｔＢＧを投与前基準時刻、計数期間ＰＳの開始時刻ｔＳを投与後基準時刻と定める。なお、図３の計数率は、サンプルの重量について規格化されている。
【００３０】
補正処理は概ね以下の５段階のステップに分けて理解することができる。第１段階では、投与前サンプルに対する計数期間ＰＢＧにおける投与前平均計数率ＮＢＧから、投与前基準時刻ｔＢＧでの計数率である投与前バックグラウンド計数率ｆＢＧを求める。ここで、平均計数率ＮＢＧは計数期間ＰＢＧにおける計数率の積分値（投与前計数値）をＰＢＧで割ったものである。ＮＢＧは計数期間ＰＢＧでのバックグラウンド放射能の半減期ＴＢＧに応じた計数率の減衰の影響を含んでおり、この第１段階の計算はその影響を補正して計数期間ＰＢＧの開始時刻ｔＢＧでの計数率を求めるものであり、これをここでは半減期補正と呼ぶ。ｆＢＧは半減期補正の関数ｆを用いて次式で表される。
【００３１】
【数１】
ｆＢＧ＝ｆ（ＮＢＧ，ＰＢＧ，ＴＢＧ）                                                                ………（１）
ここで半減期補正の関数ｆは、計数期間Ｐ、その期間中の平均計数率Ｎ、放射性元素の半減期Ｔを用いた次式で表される。
【００３２】
【数２】
ｆ（Ｎ，Ｐ，Ｔ）＝ＮＰ（ｌｎ２／Ｔ）・［１−ｅｘｐ（−Ｐ・ｌｎ２／Ｔ）］−１      ………（２）
なお、ここで、バックグラウンド放射能の半減期ＴＢＧは、今回の放射性試薬の投与前に行われた他の放射性試薬等を用いた検査から既知であるものとする。また半減期が不明である場合には、投与前サンプルに関して複数時刻で放射線測定を行い、その計数値の時間的変化から半減期ＴＢＧが算出される。
【００３３】
第２段階では、投与前バックグラウンド計数率ｆＢＧから、投与後基準時刻ｔＳでの投与後サンプルの計数率に含まれるバックグラウンド放射能成分である投与後バックグラウンド計数率ｈＢＧを求める。この第２段階の計算は、放射性元素の半減期に応じた崩壊特性による２時刻間（時間差Δｔ）での計数率の変化を計算するものである。先行する時刻での計数率Ｎ及び半減期Ｔを用いて、Δｔだけ後の時刻における計数率は次の関数ｈで表される。
【００３４】
【数３】
ｈ（Ｎ，Δｔ，Ｔ）＝Ｎ・ｅｘｐ（−Δｔ・ｌｎ２／Ｔ）］                 ………（３）
この関数ｈを用いてｈＢＧが次式で与えられる。
【００３５】
【数４】
ｈＢＧ＝ｈ（ｆＢＧ，ｔＳ−ｔＢＧ，ＴＢＧ）                                                        ………（４）
第３段階では、投与後バックグラウンド計数率ｈＢＧから投与後サンプルの計数期間ＰＳにおけるバックグラウンド放射能の平均計数率ｇＢＧを求める。これは、投与後サンプルに対して得られる測定値が、投与後基準時刻ｔＳにおける計数率ではなく、計数期間ＰＳでの平均計数率ＮＳであることに対応したものである。この第３段階の計算は、計数期間ＰＳでのバックグラウンド放射能の半減期ＴＢＧに応じた計数率の減衰の影響を含んだ平均計数率ｇＢＧを計数率ｈＢＧから求めるものである。これは半減期補正とは逆の変換であり、ここでは逆半減期補正と呼ぶ。ｇＢＧは逆半減期補正の関数ｇを用いて次式で表される。
【００３６】
【数５】
ｇＢＧ＝ｇ（ｈＢＧ，ＰＳ，ＴＢＧ）                                                                  ………（５）
ここで逆半減期補正の関数ｇは、計数期間Ｐ、その期間の開始時刻での計数率ｎ、放射性元素の半減期Ｔを用いた次式で表される。
【００３７】
【数６】
ｇ（ｎ，Ｐ，Ｔ）＝ｎ／Ｐ・（ｌｎ２／Ｔ）−１・［１−ｅｘｐ（−Ｐ・ｌｎ２／Ｔ）］      ……（６）
第４段階では、投与後サンプルの平均計数率ＮＳからｇＢＧを減算して差分値ＮＳ’を求める。すなわち、次式でＮＳ’が計算される。
【００３８】
【数７】
ＮＳ’＝ＮＳ−ｇＢＧ                                                                                    ………（７）
このＮＳ’は、投与後サンプルの計数期間ＰＳにおけるバックグラウンド放射能の寄与分を除去・補正された平均計数率であり、被検体に投与された検査試薬に起因する放射線の平均計数率を表す。
【００３９】
第５段階では、ＮＳ’から、投与後サンプルの投与後基準時刻ｔＳでの計数率のうち検査試薬に起因する成分である計数率ｆＳを求める。第５段階では、検査試薬に含まれる放射性同位元素（半減期ＴＳ）の放射崩壊特性が考慮される。この計算は、上述の半減期補正の関数ｆを用いて行われ、
【数８】
ｆＳ＝ｆ（ＮＳ’，ＰＳ，ＴＳ）                                                                  ………（８）
である。
【００４０】
検査試薬はある時刻においてその放射能を測定されており、その測定値に基づいて、被検体に投与された検査試薬全量が投与後基準時刻ｔＳにおいてどれだけの計数率を生じるかは、その検査試薬に含まれる放射性同位元素の既知の半減期を用いて容易に計算することができる。演算部１０は、この検査試薬全量の投与後基準時刻での計数率に対する計数率ｆＳの比から、投与後サンプル中における検査試薬の量を算出し、また投与後サンプルの重量の測定値を用いてその検査試薬の投与後サンプル中における濃度を算出する。例えば、演算部１０が求めた計数率や濃度の測定値結果は、図示しない表示部に表示され、また記憶部に格納される（Ｓ６０）。
【００４１】
上述の説明では、補正処理を５つの段階に分けて説明した。演算部１０は、これらの各段階の処理を順に行うように構成することもできるが、連続する数段階の処理内容を一つの計算式として計算するように構成することもできる。例えば、（１）式を（４）式に代入し、その（４）式を（５）式に代入し、その（５）式を（７）式に代入し、そして（７）式を（８）式に代入することにより、上記５つの段階を一つの計算式にまとめて計算することができる。
【００４２】
また、投与前サンプルに関する計数率を用いて投与後サンプルの計数率を補正するために、上では両サンプルの重量による規格化を行ったが、計測目的等に応じて両サンプルの体積による規格化を行っても良い。
【００４３】
【発明の効果】
本発明の放射能測定装置及び放射能測定方法によれば、被検体に放射性試薬を投与し、被検体から投与後サンプルを採取して放射線を計測する場合に、その放射性試薬の投与前に被検体から投与前サンプルを採取して放射線の計測する。この投与前計数値を用いて、放射性試薬の投与前から被検体内に存在しバックグラウンド放射能の半減期で減衰するバックグラウンド放射能による投与後サンプルの計数値に対する寄与分を求め、除去することにより、放射性試薬に起因する放射能がより精度良く計測され、検査、治療等の高精度化、高信頼性が達成される。
【図面の簡単な説明】
【図１】本発明に係る放射能測定装置の概略のブロック図である。
【図２】本装置を用いたサンプル中の放射性試薬濃度測定の処理概要を示すフロー図である。
【図３】本装置の補正処理を説明するための図であり、投与前サンプル及び投与後サンプルそれぞれの計数率の時間的変化を示すグラフである。
【符号の説明】
２  放射線検出器、４  信号検知回路、６  計数回路、８  重量測定器、１０演算部、１２  サンプル容器。
【図１】
0003569670.tif 000002
【図２】
0003569670.tif 000003
【図３】
0003569670.tif 000004